【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
記録液の液滴を吐出する記録ヘッドを搭載して用紙に画像を形成する画像形成装置に対して送出する画像データを生成処理する画像処理方法において、前記液滴が着弾したときのドットの広がりが小さく、液滴が凝集するような性質を有する前記用紙に形成する画像の画像データを生成するとき、シアン（Ｃ）、マゼンタ（Ｍ）、イエロー（Ｙ）及びブラック（Ｋ）の使用量を前記画像形成装置が画像形成できる最大総量値に応じて補正する総量規制処理、及び、入力信号を色変換したシアン（Ｃ）、マゼンタ（Ｍ）、イエロー（Ｙ）の値から黒を生成する墨入れと下色除去を行ってブラック（Ｋ）の成分を加えたＣＹＭＫの値に変換する墨入れ／下地除去（ＢＧ/ＵＣＲ）処理で、前記用紙に対する記録液付着量を規制値内に制限する処理を行うことを特徴とする画像処理方法。
【請求項２】
請求項１に記載の画像処理方法において、前記墨入れ／下地除去処理でブラック（Ｋ）の使用を開始する墨入れの開始階調ａが入力階調の２５％を越えない階調であることを特徴とする画像処理方法。
【請求項３】
請求項１又は２に記載の画像処理方法において、前記墨入れ／下地除去処理における最大下地除去（ＵＣＲ）量を、次の（１）式によって算出することを特徴とする画像処理方法。
【数１】
2007307885.tif 000001
【請求項４】
請求項１〜３のいずれかに記載の画像処理方法において、色空間変換処理が、入力が３変数以上の第１の色信号を、墨を含む４変数の第２の色信号に変換する処理であり、前記墨入れ／下地除去処理が実質的に前記色空間変換処理で行われることを特徴とする画像処理方法。
【請求項５】
記録液の液滴を吐出する記録ヘッドを搭載して用紙に画像を形成する画像形成装置に対して送出する画像データを生成する処理をコンピュータに行わせるプログラムにおいて、コンピュータに前記請求項１〜４のいずれかに記載の画像処理方法を実行させることを特徴とするプログラム。
【請求項６】
記録液の液滴を吐出する記録ヘッドを搭載して用紙に画像を形成する画像形成装置に対して送出する画像データを生成する処理を行う画像処理装置において、前記請求項１〜４のいずれかに記載の画像処理方法を実行する手段を備えていることを特徴とする画像処理装置。
【請求項７】
記録液の液滴を吐出する記録ヘッドを搭載して用紙に画像を形成する画像形成装置において、前記請求項１〜４のいずれかに記載の画像処理方法を実行する手段を備えていることを特徴とする画像形成装置。
【請求項８】
請求項７に記載の画像形成装置に用いられる顔料系インクであって、
前記顔料系インクは、２５℃における表面張力が１５〜４０ｍＮ／ｍであることを特徴とする顔料系インク。
【請求項９】
請求項７に記載の画像形成装置に用いられる顔料系インクであって、
前記顔料系インクは、界面活性剤を含有し、該界面活性剤がフッ素系界面活性剤であることを特徴とする顔料系インク。
【請求項１０】
請求項６に記載の画像処理装置と記録液の液滴を吐出する記録ヘッドを搭載して用紙に画像を形成する画像形成装置とで構成されることを特徴とする画像形成システム。
【請求項１１】
商業・出版印刷用塗工紙に対し、顔料系インクを用いて、次の（Ａ）〜（Ｃ）の記録液付着量に関する処理を行って画像を形成することを特徴とする画像形成方法。
（Ａ）色域が最大に確保できるような記録液付着量を規制値に設定する総量規制処理
（Ｂ）入力信号を記録装置用の色空間値に変換するとき、各色相の最外郭点でのインク溢れの発生と彩度に基づいて上記（１）で設定した記録液付着量を色相ごとに制限する色空間変換処理
（Ｃ）入力信号をシアン（Ｃ）、マゼンタ（Ｍ）、イエロー（Ｙ）及びブラック（Ｋ）の４つの信号に変換する墨入れ／下地除去（ＢＧ/ＵＣＲ）処理における最大下地除去（ＵＣＲ）量を、次の（１）式によって算出する墨入れ／下地除去処理
【数２】
2007307885.tif 000002
【請求項１２】
前記商業・出版印刷用途工紙が、支持体と該支持体の少なくとも一方の面に塗工層を有してなり、
２３℃５０％ＲＨにて動的走査吸液計で測定した接触時間１００ｍｓにおける前記顔料系インクの前記商業・出版印刷用途工紙への転移量が２〜４０ｍｌ／ｍ２であり、かつ接触時間４００ｍｓにおける前記顔料系インクの前記商業・出版印刷用途工紙への転移量が３〜５０ｍｌ／ｍ２であることを特徴とする請求項１１に記載の画像形成方法。
【請求項１３】
前記商業・出版印刷用途工紙が、少なくとも基材と塗工層から構成されており、該塗工層の固形分付着量が０．５〜２０．０ｇ／ｍ２であることを特徴とする請求項１２に記載する画像形成方法。
【請求項１４】
少なくとも水、着色剤、及び湿潤剤を含有する顔料系インクを用いることを特徴とする請求項１１に記載の画像形成方法。
【請求項１５】
前記顔料系インクが、２５℃における表面張力が１５〜４０ｍＮ／ｍであることを特徴とする請求項１４に記載の画像形成方法。
【請求項１６】
請求項１１〜１５の何れかに記載の画像形成方法において、前記顔料系インクに含有されるフッ素系界面活性剤は、下記一般式（Ａ）で表わされることを特徴とする画像形成方法。
【化１】
2007307885.tif 000003
ただし、上記一般式（Ａ）中、ｍは、０〜１０の整数を表す。ｎは、１〜４０の整数を表す。
【請求項１７】
請求項１１〜１６のいずれかに記載の画像形成方法において、前記墨入れ／下地除去（ＢＧ／ＵＣＲ）処理では墨入れ開始階調が入力階調の２５％未満であることを特徴とする画像形成方法。
【請求項１８】
請求項１１〜１７のいずれかに記載の画像形成方法において、前記色空間変換処理は、入力３変数以上の第１の色信号を、墨を含む４変数の第２の色信号に変換する処理であり、前記墨入れ／下地除去処理が実質的に前記色空間処理で行われることを特徴とする画像形成方法。
【請求項１９】
請求項１１〜１７のいずれかに記載の画像形成方法において、液体吐出面側に撥水層が形成された液体吐出ヘッドを用いて画像を形成することを特徴とする画像形成方法。
【請求項２０】
請求項１９に記載の画像形成方法において、前記液体吐出ヘッドの撥水層がフッ素系材料又はシリコーン系材料で構成されていることを特徴とする画像形成方法。
【請求項２１】
請求項１１〜２０のいずれかに記載の画像形成方法を用いて記録された記録物。
【請求項２２】
商業・出版印刷用塗工紙に対し、顔料系インクを用いて、画像を形成する画像形成装置に対して送出する画像データを生成する処理をコンピュータに行なわせるプログラムにおいて、コンピュータに前記請求項１１〜２０のいずれかに記載の画像形成方法のうちの前記記録液付着量に関する処理を実行させることを特徴とするプログラム。
【請求項２３】
商業・出版印刷用塗工紙に対し、顔料系インクを用いて、画像を形成する画像形成装置に対して送出する画像データを生成する処理を行う画像処理装置において、前記請求項１１〜２０のいずれかに記載の画像形成方法のうちの前記記録液付着量に関する処理を行う手段を備えていることを特徴とする画像処理装置。
【請求項２４】
顔料系インクを用いて、画像を形成する画像形成装置において、商業・出版印刷用塗工紙に対して画像を形成するときに前記請求項１１〜２０のいずれかに記載の画像形成方法を実行する手段を備えていることを特徴とする画像形成装置。
【請求項２５】
顔料系インクを用いて、画像を形成する画像形成装置を含む画像形成システムにおいて、商業・出版印刷用塗工紙に対して画像を形成するときに前記請求項１１〜２０のいずれかに記載の画像形成方法を実行する手段を備えていることを特徴とする画像形成システム。
【請求項２６】
請求項２５に記載の画像形成システムにおいて、画像を形成する媒体の種類に応じて請求項１１，１７又は１８に記載の画像形成方法のうちの前記記録液付着量に関する処理を切り替えることを特徴とする画像形成システム。
【手続補正２】
【補正対象書類名】明細書
【補正対象項目名】００２８
【補正方法】削除
【補正の内容】
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４５
【補正方法】変更
【補正の内容】
【００４５】
また、液体吐出面側に撥水層が形成された液体吐出ヘッドを用いて画像を形成すること構成とできる。この場合、液体吐出ヘッドの撥水層がフッ素系材料又はシリコーン系材料で構成されていることが好ましい。